(57)【特許請求の範囲】
【請求項１】
底部を囲むように配設された側壁が、底部に重なるように折り畳むことができる折り畳みコンテナーにおいて、前記底部には、ほぼ逆Ｕ字状の二重壁部と該二重壁部を構成する外壁を上方に延長することにより周壁が形成されており、また、前記二重壁部を構成する内壁の上端には、前記周壁に向かうように延在する傾斜部と半円筒状フックとからなるほぼ逆Ｊ字状のヒンジ雌部が形成されており、更に、後から倒される側壁の周縁枠を構成する下部水平部の下面には、下部がほぼ半円状の一対の垂直片と水平ピンとからなるヒンジ雄部が形成されているとともに、前記底部に形成されたヒンジ雌部の半円筒状フックに、前記後から倒される側壁に形成されたヒンジ雌部の水平ピンを嵌合することにより、前記底部と前記後から倒される側壁とが、前記底部の周壁の外面と前記後から倒される側壁の周縁枠の先端とが面一になるように、ヒンジ連結されており、更にまた、前記ヒンジ雄部の水平ピンの中心点を、前記後から倒される側壁の厚さ方向の中心線から、所定量だけ、前記後から倒される側壁の板状部の内面側にずらすとともに前記ヒンジ雄部の垂直片の下端側に移動させて、前記ヒンジ雄部の水平ピンの中心点と前記底部の周壁の内面との距離、前記ヒンジ雄部の水平ピンの中心点と前記底部の二重壁部の上面との距離及び前記ヒンジ雄部の水平ピンの中心点と前記後から倒される側壁の内面との距離を、いずれも、前記後から倒される側壁に形成されたヒンジ雄部を構成する垂直片の半円形状の下部の半径と、ほぼ等しくなるように構成することにより、前記底部の二重壁部の上面と前記後から倒される側壁に形成されたヒンジ雄部の垂直片との間隙を、実質的になくすように構成したことを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，長方形の底部の相対する長辺部に、ヒンジ部を介して連結された長側壁と、同じく上記底部の相対する短辺部に、ヒンジ部を介して連結された短側壁とからなる折り畳みコンテナーが知られており、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型のコンテナーに組み立てるように構成されている。
【０００３】
図５〜図８を用いて、一例として従来の折り畳みコンテナー、特に、そのヒンジ部について説明する。
【０００４】
１は、平面形状が長方形状の底部であり、底部１の相対する長辺部１ａには、後述するヒンジ部を介して、長側壁２が連結されており、また、底部１の相対する短辺部１ｂには、同じくヒンジ部を介して短側壁３が連結されている。
【０００５】
図５に示されているように、箱型に組み立てられた状態の折り畳みコンテナーを折り畳むには、先ず最初に、短側壁３を折り畳みコンテナーの内側に倒して、図６に示されているように、底部１の上に重ねる。次いで、同じく、長側壁２を折り畳みコンテナーの内側に倒して、図７に示されているように、底部１及び短側壁３の上に重ねる。逆に、図７に示されている折り畳まれた状態から、図５に示されているように組み立てるには、底部１及び短側壁３の上に重ねられた状態の長側壁２を垂直に立て、次いで、短側壁３を垂直に立てて、折り畳みコンテナーを箱型に組み立てる。
【０００６】
底部１は、下面に交差リブ１ａ’が垂設された底板１ａと、底板１ａの周縁に沿って形成されたほぼ逆Ｕ字状の二重壁部１ｂと、二重壁部１ｂを構成する外壁１ｂ１を上方に延長して形成された周壁１ｃとを有している。二重壁部１ｂを構成する内壁１ｂ２の上端には、周壁１ｃに向かうように延在する傾斜部１ｄと、傾斜部１ｄに連接されているとともに、傾斜部１ｄに対して周壁１ｃ側に配設された半円筒状フック１ｅが形成されており、傾斜部１ｄと半円筒状フック１ｅとにより、周壁１ｃの高さの中程まで延在している、ほぼ逆Ｊ字状のヒンジ雌部１ｆが形成されている。このヒンジ雌部１ｆは、底部１を合成樹脂で一体成形すること等により、適度な弾性を有している。
【０００７】
長側壁２は、折り畳みコンテナーが組み立てられた状態において、底部１の二重壁部１ｂを構成する内壁１ｂ２とほぼ面一になる板状部２ａと、板状部２ａの周縁に沿って、外側に水平方向に延在する周縁枠２ｂとを有しており、周縁枠２ｂの下部水平部２ｂ’の下面には、一対の下部がほぼ半円状の垂直片２ｃと、一対の垂直片２ｃ間に配設された水平ピン２ｄとからなる、ヒンジ部の一方を構成するヒンジ雄部２ｅが、所定の間隔を置いて形成されている。なお、長側壁２も、合成樹脂で一体に成形されることが好ましい。
【０００８】
長側壁２に形成されたヒンジ雄部２ｅの水平ピン２ｄが、底部１に形成されたヒンジ雌部１ｆの半円筒状フック１ｅの凹部に嵌合されて、ヒンジ雌部１ｆとヒンジ雄部２ｅとからなるヒンジ部を介して、底部１と長側壁２とがヒンジ結合されるように構成されている。
【０００９】
上述した従来の折り畳みコンテナーは、組み立てられた状態において、長側壁２に形成されたヒンジ雄部２ｅの水平ピン２ｄの中心点ｃ１が、長側壁２の厚さ方向の中心線Ｌ１上に位置するように、長側壁２に形成されたヒンジ雄部２ｅと底部１に形成されたヒンジ雌部１ｆとが配置されている。図８には、長側壁２の厚さ方向の中心線Ｌ１が、長側壁２の厚さｄ１である、長側壁２の周縁枠２ｂの先端２ｂ”と板状部２ａの内面２ａ’との距離の二分の一の所に引かれている例が示されている。なお、折り畳みコンテナーが、組み立てられた状態において、長側壁２の周縁枠２ｂの先端２ｂ”は、底部１の二重壁部１ｂを構成する周壁１ｃの外面１ｃ’と面一になるように構成されている。
【００１０】
上述したように、長側壁２に形成されたヒンジ雄部２ｅの水平ピン２ｄの中心点ｃ１が、長側壁２の厚さ方向の中心線Ｌ１上に位置するように、長側壁２に形成されたヒンジ雄部２ｅと底部１に形成されたヒンジ雌部１ｆとを配置した場合には、折り畳みコンテナーを折り畳むために、長側壁２を、底部１方向に、長側壁２に形成されたヒンジ雄部２ｅの水平ピン２ｄの中心点ｃ１を中心に回動可能に構成するには、水平ピン２ｄの中心点ｃ１と垂直片２ｃの下端２ｃ’との距離ｄ２と、水平ピン２ｄの中心点ｃ１と底部１の周壁１ｃの内面１ｃ”との距離ｄ３とが同じであるか、或いは、水平ピン２ｄの中心点ｃ１と垂直片２ｃの下端２ｃ’との距離ｄ２が、水平ピン２ｄの中心点ｃ１と底部１の周壁１ｃの内面１ｃ”との距離ｄ３より短くなくてはならない。更に、折り畳みコンテナーを折り畳んだ際には、折り畳みコンテナーの収容効率を考えると、長側壁２がほぼ水平に倒れる必要があり、長側壁２がほぼ水平に倒れるようにするためには、水平ピン２ｄの中心点ｃ１と底部１の二重壁部１ｂの上面１ｂ３との距離ｄ４が、長側壁２の厚さｄ１の二分の一（ｄ１／２）より長くなくてはならない。従って、長側壁２を、水平に折り畳むためには、折り畳みコンテナーが組み立てられた状態、即ち、長側壁２が、図５や図８に示されているように、底部１に対して垂直に立設された状態においては、長側壁２の垂直片２ｃの下端２ｃ’と底部１の二重壁部１ｂの上面１ｂ３との間には、少なくとも、水平ピン２ｄの中心点ｃ１と底部１の二重壁部１ｂの上面１ｂ３との距離ｄ２と、長側壁２の厚さｄ１の二分の一（ｄ１／２）との差（ｄ２−ｄ１／２）だけの間隙ｄ５ができることになる。
【００１１】
【発明が解決しようとする課題】
上述した従来の折り畳みコンテナーにおいては、折り畳みコンテナーが組み立てられた状態では、上述したように、長側壁２の垂直片２ｃの下端２ｃ’と、底部１の二重壁部１ｂの上面１ｂ３との間に、間隙ｄ５が形成されることになるので、この間隙ｄ５に、折り畳みコンテナーに収容された物品やごみ等の異物が入り込むことになる。そして、この間隙ｄ５に、物品や異物が入り込むと、折り畳みコンテナーの折り畳み作業の際に、長側壁２をほぼ水平に倒そうとしても、間隙ｄ５に入り込んだ物品や異物のために、長側壁２がほぼ水平に倒れないという問題が発生する。また、間隙ｄ５に、物品や異物が入り込んだ状態で、無理に、長側壁２をほぼ水平に倒そうとすると、長側壁２に形成されたヒンジ雄部２ｅと底部１に形成されたヒンジ雌部１ｆとからなるヒンジ部等が損傷することになる。
【００１２】
また、上述したような間隙ｄ５に、収容される物品が引っ掛かり、物品の出し入れ作業の作業性が悪くなったり、物品が損傷するという問題があった。
【００１３】
本発明の目的は、上述した従来の折り畳みコンテナーが有する課題を解決することにある。
【００１４】
【課題を解決するための手段】
本発明は、上述した目的を達成するために、底部を囲むように配設された側壁が、底部に重なるように折り畳むことができる折り畳みコンテナーにおいて、前記底部には、ほぼ逆Ｕ字状の二重壁部と該二重壁部を構成する外壁を上方に延長することにより周壁が形成されており、また、前記二重壁部を構成する内壁の上端には、前記周壁に向かうように延在する傾斜部と半円筒状フックとからなるほぼ逆Ｊ字状のヒンジ雌部が形成されており、更に、後から倒される側壁の周縁枠を構成する下部水平部の下面には、下部がほぼ半円状の一対の垂直片と水平ピンとからなるヒンジ雄部が形成されているとともに、前記底部に形成されたヒンジ雌部の半円筒状フックに、前記後から倒される側壁に形成されたヒンジ雌部の水平ピンを嵌合することにより、前記底部と前記後から倒される側壁とが、前記底部の周壁の外面と前記後から倒される側壁の周縁枠の先端とが面一になるように、ヒンジ連結されており、更にまた、前記ヒンジ雄部の水平ピンの中心点を、前記後から倒される側壁の厚さ方向の中心線から、所定量だけ、前記後から倒される側壁の板状部の内面側にずらすとともに前記ヒンジ雄部の垂直片の下端側に移動させて、前記ヒンジ雄部の水平ピンの中心点と前記底部の周壁の内面との距離、前記ヒンジ雄部の水平ピンの中心点と前記底部の二重壁部の上面との距離及び前記ヒンジ雄部の水平ピンの中心点と前記後から倒される側壁の内面との距離を、いずれも、前記後から倒される側壁に形成されたヒンジ雄部を構成する垂直片の半円形状の下部の半径と、ほぼ等しくなるように構成することにより、前記底部の二重壁部の上面と前記後から倒される側壁に形成されたヒンジ雄部の垂直片との間隙を、実質的になくすように構成したものである。
【００１５】
【実施例】
以下に、本発明の実施例について説明するが、本発明の趣旨を越えない限り何ら、本実施例に限定されるものでない。なお、上述した従来の折り畳みコンテナーの構成部材と同じ構成を有するものについては、同じ符号を用いるとともに、その詳細な説明は省略する。
【００１６】
本発明は、上述した長側壁２の垂直片２ｃの下端２ｃ’と、底部１の二重壁部１ｂの上面１ｂ３との間にできる間隙ｄ５を、実質的なくしたものである。
【００１７】
そのために、折り畳みコンテナーが組み立てられた状態において、底部１の周壁１ｃの内面１ｃ”と、底部１の二重壁部１ｂの上面１ｂ３とにより形成される隅部Ａに位置する、長側壁２に配設された垂直片２ｃのほぼ四分の一の領域２ｃ１の半径ｒ１と、長側壁２に形成されたヒンジ雄部２ｅの水平ピン２ｄの中心点ｃ１と底部１の周壁１ｃの内面１ｃ”との距離ｄ３と、水平ピン２ｄの中心点ｃ１と底部１の二重壁部１ｂの上面１ｂ３との距離ｄ４とが、ほぼ等しくなるように構成するとともに、水平ピン２ｄの中心点ｃ１と長側壁２の板状部２ａの内面２ａ’との距離ｄ６と、水平ピン２ｄの中心点ｃ１と底部１の二重壁部１ｂの上面１ｂ３との距離ｄ４とが、ほぼ等しくなるように構成したものである。このように構成するために、長側壁２に形成されたヒンジ雄部２ｅの水平ピン２ｄの中心点ｃ１が、上述した従来の水平ピン２ｄに比べ、長側壁２の厚さ方向の中心線Ｌ１から、所定量ｄ７だけ、長側壁２の板状部２ａの内面２ａ’側、即ち、長側壁２の回転側にずらされているとともに、垂直片２ｃの下端２ｃ’側に移動させられている。
【００１８】
要するに、本発明は、長側壁２に形成されたヒンジ雄部２ｅの水平ピン２ｄの中心点ｃ１と底部１の周壁１ｃの内面１ｃ”との距離ｄ３、水平ピン２ｄの中心点ｃ１と底部１の二重壁部１ｂの上面１ｂ３との距離ｄ４及び水平ピン２ｄの中心点ｃ１と長側壁２の板状部２ａの内面２ａ’との距離ｄ６を、いずれも、長側壁２に形成されたヒンジ雄部２ｅを構成する垂直片２ｃの半円形状の下部の半径ｒ１と、ほぼ等しくすることにより、長側壁２の垂直片２ｃの下端２ｃ’と、底部１の二重壁部１ｂの上面１ｂ３との間にできる間隙を、実質的なくし、この間隙への異物の侵入を防止するとともに、折り畳みコンテナーの折り畳みに際して、長側壁２がほぼ水平になるまで倒れることができるようにしたものである。
【００１９】
このように構成することにより、図１に示されているように、折り畳みコンテナーが組み立てられた状態において、長側壁２の垂直片２ｃの下端２ｃ’と、底部１の二重壁部１ｂの上面１ｂ３との間には、実質的な間隙がないので、この間隙に、折り畳みコンテナーに収容された物品やごみ等の異物が入り込むようなことがない。
【００２０】
また、水平ピン２ｄの中心点ｃ１と長側壁２の板状部２ａの内面２ａ’との距離ｄ６と、水平ピン２ｄの中心点ｃ１と底部１の二重壁部１ｂの上面１ｂ３との距離ｄ４とが、ほぼ等しくなるように構成されているので、図２に示されているように、折り畳みコンテナーの折り畳みに際して、長側壁２がほぼ水平になるまで倒れることができ、水平ピン２ｄの中心点ｃ１から見て、長側壁２が上方に傾斜することがないので、従って、折り畳みコンテナーを薄く折り畳むことができる。
【００２１】
次に、図３及び図４を用いて、別の実施例について説明する。
【００２２】
この実施例においては、ヒンジ雌部１ｆのフック１０ｅの外周面１０ｅ１に、底部１の周壁１ｃから二重壁部１ｂの内壁１ｂ２に向かって、上方に傾斜する傾斜面１０ｅ２が形成されている。この傾斜面１０ｅ２は、底部１と長側壁２とをヒンジ結合させるために、長側壁２を、上方から下降させた際に、図３に示されているように、長側壁２に形成されたヒンジ雄部２ｅの水平ピン２ｄが、傾斜面１０ｅ２に載置されるような幅を有している。
【００２３】
底部１と長側壁２をヒンジ結合させる場合には、先ず最初に、長側壁２を、上方から下降させて、図３に示されているように、長側壁２に形成されたヒンジ雄部２ｅの水平ピン２ｄを、底部１に形成されたヒンジ雌部１ｆのフック１０ｅの傾斜面１０ｅ２に当接させる。その後、更に、長側壁２を下降させると、水平ピン２ｄは、フック１０ｅの傾斜面１０ｅ２に沿って、周壁１ｃ方向に移動する。そして、長側壁２に形成されたヒンジ雄部２ｅの水平ピン２ｄが、周壁１ｃに当接した後に、更に、長側壁２を下降させると、ヒンジ雌部１ｆは、図３において、その弾性力に抗して、右方向に傾動し、周壁１ｃとフック１０ｅの先端との間に、水平ピン２ｄが通過可能な間隙が形成される。この間隙を通過した水平ピン２ｄが、ヒンジ雌部１ｆのフック１０ｅの先端を超えて下方に移動した時点で、ヒンジ雌部１ｆは、その弾性力により、元の位置に復帰するとともに、ヒンジ雄部２ｅの水平ピン２ｄは、図４に示されているように、ヒンジ雌部１ｆのフック１０ｅの凹部１０ｅ３に嵌合されて、ヒンジ雌部１ｆとヒンジ雄部２ｅとからなるヒンジ部を介して、底部１と長側壁２とがヒンジ結合されることになる。
【００２４】
上述したように、ヒンジ雌部１ｆのフック１０ｅの外周面１０ｅ１には、長側壁２を、上方から下降させた際に、長側壁２に形成されたヒンジ雄部２ｅの水平ピン２ｄが載置される、底部１の周壁１ｃ方向に向かって下方に傾斜する傾斜面１０ｅ２が形成されているので、長側壁２に形成されたヒンジ雄部２ｅの水平ピン２ｄが、底部１に形成されたヒンジ雌部１ｆの傾斜部１ｄ方向に移動するようなことがなく、従って、従来のように、ヒンジ雄部の水平ピンが、ヒンジ雌部のフックの凹部に嵌合されず、底部と長側壁とのヒンジ結合が失敗するというようなことが、確実に、防止できる。
【００２５】
【発明の効果】
本発明は、以上説明した構成を有しているので、以下に記載する効果を奏するものである。
【００２６】
長側壁の垂直片の下端と、底部の二重壁部の上面との間にできる間隙を、実質的なくしたので、この間隙への物品や異物の侵入を防止することができるとともに、折り畳みコンテナーの折り畳みに際して、長側壁をほぼ水平になるまで倒すことができ、従って、折り畳みコンテナーを薄く折り畳むことができる。
【００２７】
間隙に、収容される物品が引っ掛かるようなことがないので、物品の出し入れ作業の作業性が向上するとともに、物品の損傷を防止することができる。
【図面の簡単な説明】
【図１】図１は本発明の折り畳みコンテナーの底部と長側壁のヒンジ部を含む垂直断面図である。
【図２】図２は同じく本発明の折り畳みコンテナーの底部と長側壁のヒンジ部を含む垂直断面図である。
【図３】図３は本発明の別の実施例の折り畳みコンテナーの底部と長側壁とがヒンジ結合される直前のヒンジ部を含む垂直断面図である。
【図４】図４は図３に示されている折り畳みコンテナーの底部と長側壁のヒンジ部を含む垂直断面図である。
【図５】図５は組み立てられた状態の折り畳みコンテナーの斜視図である。
【図６】図６は折り畳みコンテナーの折り畳み途中の斜視図である。
【図７】図７は折り畳まれた状態の折り畳みコンテナーの斜視図である。
【図８】図８は従来の折り畳みコンテナーの底部と長側壁のヒンジ部を含む垂直断面図である。
【符号の説明】
１・・・・・・・・底部
１ｆ・・・・・・・ヒンジ雌部
２・・・・・・・・長側壁
２ｅ・・・・・・・ヒンジ雄部
３・・・・・・・・短側壁
【図１】
0003677418.tif 000002
【図２】
0003677418.tif 000003
【図３】
0003677418.tif 000004
【図４】
0003677418.tif 000005
【図５】
0003677418.tif 000006
【図６】
0003677418.tif 000007
【図７】
0003677418.tif 000008
【図８】
0003677418.tif 000009